(57)【要約】【課題】簡単な構成で軸筒内部の先端部の密閉状態を長期間にわたり確実に保持でき、安価で長期保存性に優れた乾燥防止機構を有するキャップレス筆記具を提供すること。【解決手段】軸筒１１内に筆記体１８を配置して、軸筒１１の先端開口より筆記体１８のペン先部１８ａが出没自在に構成されたキャップレス筆記具である。軸筒１１の先端開口に、着磁可能な粉末を含有する弾性樹脂材又はゴム材で二色成形された嘴部１６を備えた。嘴部１６は、基部１６ａを軸筒１１の先端部の内面又は外面に一体に重ねられ、ペン先部１８ａの押圧力で開きかつ該ペン先部１８ａが没入するとほぼ閉じ合う状態に弾性復帰するスリット１７を軸筒１１の軸心線を通るように頂部１６ｂに備えると共に、二色成形された後に該スリット１７の閉じ合わせ端面同士の一方をＳ極、他方をＮ極に着磁されスリット１７を完全に閉じ合うように設けられてなる。【選択図】図１
2010155387.tif 000002
【特許請求の範囲】
【請求項１】
軸筒内に筆記体を配置して、軸筒の先端開口より筆記体のペン先部が出没自在に構成されたキャップレス筆記具において、
前記軸筒の先端開口に、着磁可能な粉末を含有する弾性樹脂材又はゴム材で二色成形された嘴部を備え、
該嘴部は、基部を前記軸筒の先端部の内面又は外面に一体に重ねられ、ペン先部の押圧力で開きかつ該ペン先部が没入するとほぼ閉じ合う状態に弾性復帰するスリットを前記軸筒の軸心線を通るように頂部に備えると共に、前記二色成形された後に該スリットの閉じ合わせ端面同士の一方をＳ極、他方をＮ極に着磁され前記スリットを完全に閉じ合うように設けられてなる、
ことを特徴とするキャップレス筆記具。
【請求項２】
軸筒内に筆記体を配置して、軸筒の先端開口より筆記体のペン先部が出没自在に構成されたキャップレス筆記具において、
前記軸筒の先端開口に、着磁可能な粉末を含有する弾性樹脂材又はゴム材で成形されたインナーキャップを備え、
該インナーキャップは、基部の全周を前記軸筒の内面に封止状態に一体に固着され、ペン先部の押圧力で開きかつ該ペン先部が没入するとほぼ閉じ合う状態に弾性復帰するスリットを前記軸筒の軸心線を通るように頂部に備えると共に、前記成形された後で前記軸筒への固着前に該スリットの閉じ合わせ端面同士の一方をＳ極、他方をＮ極に着磁され前記スリットを完全に閉じ合うように設けられてなる、
ことを特徴とするキャップレス筆記具。
【請求項３】
前記スリットの閉じ合わせ端面同士に、互いに噛み合い状態に閉じ合うシール部を有することを特徴とする請求項１又は２に記載のキャップレス筆記具。
【発明の詳細な説明】
【技術分野】
【０００１】
本発明は、乾燥防止機構を有するキャップレス筆記具に関する。
【背景技術】
【０００２】
従来、水性や油性のマーキングペン、水性ボールペンや万年筆などの筆記具においては、筆記部の先端のインクが乾燥して筆記できなくなることを防止するために、キャップレスの筆記具が数多く提案されている。
【０００３】
特許文献１に示されたキャップレスの筆記具は、圧縮永久歪み率が２０％以下のゴム材又は弾性樹脂材で成形されペン先部の押圧力で開きかつ該ペン先部が没入するとほぼ閉じ合う状態に弾性復帰するスリットを前記軸筒の軸心線を通るようにスリットが形成されたインナーキャップを備え、さらにスリットを完全に閉じ合わせるための弾性部材を備えている。
【０００４】
特許文献２に示されたキャップレスの筆記具は、ゴム材又は弾性樹脂材で成形されペン先部の押圧力で開きかつ該ペン先部が没入すると閉じ合う状態に弾性復帰するスリットを前記軸筒の軸心線を通るようにスリットが形成されたインナーキャップを備えている。キャップレスの筆記具は、成形状態ではスリットが完全には閉じ合わず僅かな隙間が生じてしまうので、インナーキャップの基部を前記軸筒にたわませて嵌着することによって解消している。
【０００５】
【特許文献１】特開２００５−２２１３８号公報、図５、図６
【特許文献２】特開２００４−０９８３８８号公報
【発明の開示】
【発明が解決しようとする課題】
【０００６】
しかしながら、特許文献１に示されたキャップレスの筆記具は、スリットを完全に閉じ合わせるための弾性部材が良好に機能しておらず、スリットを完全に閉じ合わせることができないのが実情であり、そのため、筆記部の先端のインクが乾燥して筆記できなくなる問題を解消できていない。
【０００７】
また特許文献２に示されたキャップレスの筆記具は、スリットに臨む端縁同士を強く当接することができないので閉じ合わせが完全に達成されているとは言い難い。また、スリットが繰り返し開閉すると、僅少な隙間が生じるおそれがある。
【０００８】
本発明は、上記従来の問題点に鑑みてなされたものであり、簡単な構成で軸筒内部の先端部の密閉状態を長期間にわたり確実に保持でき、安価で長期保存性に優れた乾燥防止機構を有するキャップレス筆記具を提供することを目的とする。
【課題を解決するための手段】
【０００９】
上記課題を解決するため、本願第１の発明のキャップレス筆記具は、軸筒内に筆記体を配置して、軸筒の先端開口より筆記体のペン先部が出没自在に構成されたキャップレス筆記具において、前記軸筒の先端開口に、着磁可能な粉末を含有する弾性樹脂材又はゴム材で二色成形された嘴部を備え、該嘴部は、基部を前記軸筒の先端部の内面又は外面に一体に重ねられ、ペン先部の押圧力で開きかつ該ペン先部が没入するとほぼ閉じ合う状態に弾性復帰するスリットを前記軸筒の軸心線を通るように頂部に備えると共に、前記二色成形された後に該スリットの閉じ合わせ端面同士の一方をＳ極、他方をＮ極に着磁され前記スリットを完全に閉じ合うように設けられてなる、ことを特徴とする。
【００１０】
上記構成によれば、筆記体のペン先部が後退した状態では、軸筒の先端開口に備える嘴部は、該嘴部が弾性樹脂材又はゴム材で成形されているので、成形時の原形を保持しようとする弾性復帰力を生起してほぼ閉じ合う状態を保持しようとする。このときのスリットの隙間は、通常、０．１ｍｍ〜０．２ｍｍ位になる。本発明では、嘴部は、着磁可能な粉末を含有する弾性樹脂材又はゴム材で成形されていて、かつ、二色成形された後にスリットの閉じ合わせ端面同士の一方をＳ極、他方をＮ極に着磁されているから、スリットを完全に閉じ合うことができる。
【００１１】
筆記体のペン先部を軸筒の先端開口より突出するように該筆記体の移動操作を行い、該ペン先部が嘴部を押圧すると、該嘴部が弾性樹脂材又はゴム材で成形されているので、スリットの閉じ合わせ端面同士を閉じている磁石力に抗して外方（軸筒軸心から離れる方向）へ変形しスリットが大きく開かれ、ペン先部が嘴部より突出する。すなわち、ペン先部が軸筒の先端開口より突出する。
【００１２】
筆記体のペン先部を軸筒の先端開口より没入するように該筆記体の移動操作を行うと、既述したように、軸筒の先端開口に備える嘴部は、該嘴部が弾性樹脂材又はゴム材で成形されているので、成形時の原形を保持しようとする弾性復帰力を生起してほぼ閉じ合う状態になり、ここから、スリットの閉じ合わせ端面同士間の磁石力が作用してスリットの隙間を完全解消するように閉じ合うことができる。この磁石力は長時間経過しても維持できるように着磁できるから、スリットの完全な閉じ合わせ機能は長時間経過しても維持される。
【００１３】
上記構成によれば、従来において必要としていたインナーキャップが不要になる。すなわち、ドーム状の樹脂成形体と、ドーム状の樹脂成形体のスリットを閉じ合わせるための薄肉板状バネの弾性体が不要になる。これにより、従来よりも一層簡単な構成で安価となり、部品点数・組付け工数を減らすことができ、ペン先部の密閉状態を長期間にわたり確実なものとすることが可能となり、長期保存性に優れたキャップレス筆記具を提供することが可能となる。
【００１４】
本願第２の発明のキャップレス筆記具は、軸筒内に筆記体を配置して、軸筒の先端開口より筆記体のペン先部が出没自在に構成されたキャップレス筆記具において、前記軸筒の先端開口に、着磁可能な粉末を含有する弾性樹脂材又はゴム材で成形されたインナーキャップを備え、該インナーキャップは、基部の全周を前記軸筒の内面に封止状態に一体に固着され、ペン先部の押圧力で開きかつ該ペン先部が没入するとほぼ閉じ合う状態に弾性復帰するスリットを前記軸筒の軸心線を通るように頂部に備えると共に、前記成形された後で前記軸筒への固着前に該スリットの閉じ合わせ端面同士の一方をＳ極、他方をＮ極に着磁され前記スリットを完全に閉じ合うように設けられてなる、ことを特徴とする。
【００１５】
上記構成によれば、筆記体のペン先部が後退した状態では、軸筒の先端開口に備えるインナーキャップは、該インナーキャップが弾性樹脂材又はゴム材で成形されているので、成形時の原形を保持しようとする弾性復帰力を生起してほぼ閉じ合う状態を保持しようとする。このときのスリットの隙間は、通常、０．１ｍｍ〜０．２ｍｍ位になる。本発明では、インナーキャップは、着磁可能な粉末を含有する弾性樹脂材又はゴム材で成形されていて、かつ、成形された後で前記軸筒への固着前にスリットの閉じ合わせ端面同士の一方をＳ極、他方をＮ極に着磁されているから、スリットを完全に閉じ合うことができる。
【００１６】
筆記体のペン先部を軸筒の先端開口より突出するように該筆記体の移動操作を行い、該ペン先部がインナーキャップを押圧すると、該インナーキャップが弾性樹脂材又はゴム材で成形されているので、スリットの閉じ合わせ端面同士を閉じている磁石力に抗して外方（軸筒軸心から離れる方向）へ変形しスリットが大きく開かれ、ペン先部がインナーキャップより突出する。すなわち、ペン先部が軸筒の先端開口より突出する。
【００１７】
筆記体のペン先部を軸筒の先端開口より没入するように該筆記体の移動操作を行うと、既述したように、軸筒の先端開口に備えるインナーキャップは、該インナーキャップが弾性樹脂材又はゴム材で成形されているので、成形時の原形を保持しようとする弾性復帰力を生起してほぼ閉じ合う状態になり、ここから、スリットの閉じ合わせ端面同士間の磁石力が作用してスリットの隙間を完全解消するように閉じ合うことができる。この磁石力は長時間経過しても維持できるように着磁できるから、スリットの完全な閉じ合わせ機能は長時間経過しても維持される。
【００１８】
上記構成によれば、従来において必要としていた薄肉板状バネの弾性体が不要になるので、従来よりも一層簡単な構成で安価となり、部品点数・組付け工数を減らすことができ、ペン先部の密閉状態を長期間にわたり確実なものとすることが可能となり、長期保存性に優れたキャップレス筆記具を提供することが可能となる。
【００１９】
本願第１及び第２の発明のキャップレス筆記具は、前記スリットの閉じ合わせ端面同士に、互いに噛み合い状態に閉じ合うシール部を有する構成とすることが好ましい。この構成にすると、閉じ合わせ機能が一層向上する。
【発明の効果】
【００２０】
本願第１及び第２の発明によれば、簡単な構成で軸筒内部の先端部の密閉状態を長期間にわたり確実に保持できるので、従来のインナーキャップのスリットに存在するシール部の密閉不完全な問題や、シール開閉機構などの構造が複雑で安価に提供できないという問題を解消することができ、安価で長期保存性に優れた乾燥防止機構を有するキャップレス筆記具を提供することができる。
【発明を実施するための最良の形態】
【００２１】
以下、本発明のキャップレス筆記具の実施の形態について図面を参照して説明する。
【００２２】
〔第１の実施形態〕
図１及び図４は発明の第１の実施形態を示す。図１に示すように、キャップレス筆記具１０Ａは、軸筒後部１２・軸筒前部１３・嘴部１６を有する軸筒１１と、筆記体１８と、弾発部材１９と、ノック部材２０と、係止機構２１と、解除駒２２と、クリップ２３とを備えてなる。
【００２３】
このキャップレス筆記具１０Ａは、キャップレス機能を有するインナーキャップを備えていない。このキャップレス筆記具１０Ａにおいて、ペン先部の押圧力で開いてかつ該ペン先部が没入すると軸筒１１内の先端部の密閉状態を保持する構成部分については、嘴部１６として軸筒１１の先端部に二色成形により備えており、ここに特徴があるが後述するものとする。
【００２４】
軸筒１１は、軸筒後部１２の先端部に軸筒前部１３の後端部を被嵌し、かつ軸筒前部１３に備えた窓部１５に軸筒後部１２に備えたロック爪１４を係合させて分離不能とされている。軸筒１１は、軸筒後部１２と軸筒前部１３に分割されていることで、筆記体１８と弾発部材１９とノック部材２０と、解除駒２２とを軸筒１１内に収容可能とされている。
【００２５】
筆記体１８は、該軸筒１１内に収容され筆記具用インキが充填されている。詳述すると、筆記体１８は、筆記具用インキを吸蔵した中綿などのインキ吸蔵体を収容する大径部１８ａと、該大径部１８ａの先端より連通状態に伸びる小径部１８ｂと、小径部１８ｂの先端に設けられるペン先部１８ｃとからなり、インキ吸蔵体のインキをペン先部１８ｃに供給する構成となっている。なお、中綿式のものに限定されるものでなく、コレクタ構造を有するインキタンクを備える直液式の筆記体であってもよい。
【００２６】
弾発部材１９は、コイルばねが用いられ軸筒前部１３内の段部１３ａと筆記体１８の大径部１８ａとの間に圧縮状態に収容され筆記体１８の大径部１８ａを後部方向に付勢している。
【００２７】
筆記体１８には、ペン先部１８ｃを軸筒１１の先端の嘴部１６から突出させるためのノック部材２０が軸筒後部１２より突出して設けられている。ノック部材２０は、筆記体１８の後部に固定され押圧されることによって該筆記体１８を前進させ該筆記体１８のペン芯のペン先部１８ｃを軸筒１１の先端から突出させる。
【００２８】
係止機構２１は軸筒１１に形成され、解除駒２２は係止機構２１に対応してノック部材２０に連結して備えられている。クリップ２３は、軸筒後部１２に備えられている。係止機構２１と解除駒２２の構造は、図示した形態に限らず様々のものが知られており、いずれの構成を採用しても良い。
【００２９】
再び、軸筒１１の説明に戻る。
軸筒１１は、軸筒前部１３の先端開口に嘴部１６を延長して備えている。該嘴部１６は、軸筒前部１３に対して弾性樹脂材又はゴム材で二色成形されてなる。すなわち、軸筒前部１３が先に成形され、該軸筒前部１３を金型内に入れ該軸筒前部１３の先端開口に嘴部１６が成形されてなる。該嘴部１６の基部１６ａは、軸筒前部１３の先端開口より内面に一体に重なり段部１３ａまで延びて成形され、段部１３ａと基部１６ａの内径が一致していて、引っ込んだ位置のペン先部１８ｃが嘴部１６の基部１６ａの内部に納まっている。
【００３０】
嘴部１６は、この実施形態では、頂部１６ｂ付近が若干扁平とされ、軸筒１１の軸心線を通り該頂部１６ｂを両側に扁平面が存するように２つ割りとするスリット１７を備えている。嘴部１６は、該スリット１７を備えていることで、ペン先部１８ｃの押圧力で開かれ、かつ該ペン先部１８ｃが没入すると該嘴部１６を構成している樹脂の弾性復帰力によりほぼ閉じ合う状態に弾性復帰する。しかし、嘴部１６にスリット１７を備えただけでは、ペン先部１８ｃが没入しても完全には閉じ合わない。すなわち、嘴部１６の成形時、スリット１７を形成するために例えば厚さ０．１ｍｍのステンレス製の仕切り板によって、嘴部１６の頂部１６ｂの軸筒中心を通る複数分割となるように仕切られて該嘴部１６が成形されることにより、スリット１７が形成されるが、嘴部１６が型から取り出され該仕切り板の存在していた部分がスリットとなり、従って、スリットには微小隙間が存在する。
【００３１】
そこで、嘴部１６は、弾性樹脂材又はゴム材で単に二色成形されてなるものではなく、着磁可能な粉末を含有し（コンパウンド材）かつ筆記具用インキに含有されるインキ溶剤に対して気体透過性の低い弾性樹脂材又はゴム材で二色成形され、二色成形された後に該スリット１７の閉じ合わせ端面同士の一方をＳ極、他方をＮ極に着磁し、６０〜８０ｋｐａの密閉力となるように付与しスリットを閉じている。この場合、好ましくは、スリット１７の閉じ合わせ端面同士に、スリット１７に沿った方向に直交する方向の断面形状が雄雌嵌合する状態に、互いに噛み合い状態に閉じ合うシール部を有することが好ましい。
【００３２】
嘴部１６は、筆記具用インキに含有されるインキ溶剤（例えばプロピルアルコ−ル、イソプロピルアルコ−ル等）に対して気体透過性の低い弾性樹脂材又はゴム材から構成される。具体的には、コンパウンド（樹脂と磁石粉とを混合したもの）を用いるが、コンパウンドを構成する樹脂として、低級アルコールや、芳香族炭化水素、低級脂肪族ケトン、低級アルコールエステル、脂肪族炭化水素、脂環族炭化水素、グリコールエーテル等の樹脂、エチレンプロピレンゴム、ブチルゴム、シリコーンゴム、クロロプレンゴム、アクリロニトリルブタジエンゴム、ウレタンゴム、フッ素ゴム等のゴムが選ばれる。
【００３３】
〔筆記可能・不能な状態とする操作と嘴部１６との関係〕
筆記体１８のペン先部１８ｃが嘴部１６から引っ込んでいる状態（図１（ａ）の状態）から、ノック部材２０が前進される（押し込まれる）と、ペン先部１８ｃが嘴部１６の頂部１６ｂの内面を押圧する。弾性樹脂材又はゴム材でできている嘴部１６は、スリット１７が押し開かれ（図２（ｂ）の状態）、筆記体１８のペン先部１８ｃが軸筒１１の先端の嘴部１６から突出した状態になる（図２（ａ）の状態）。このとき、弾発部材１９は圧縮された状態になり、解除駒２２は、係止機構２１の係止部２１ａに係合する。解除駒２２が係止機構２１の係止部２１ａに係合すると、筆記体１８が後退不能になり、ペン先部１８ｃが軸筒１１の先端の嘴部１６を押圧して開き嘴部１６から突出し筆記可能な状態が維持される。
ペン先部１８ｃが突出している状態から、次にノック部材２０が押し込まれると、解除駒２２は、係止部２１ａとの係合を解除するように回動され、弾発部材１９の蓄勢復帰力で筆記体１８の大径部１８ａの先端面が後方へ押圧され、ノック部材２０が軸筒１１の後端より突出し、ペン先部１８ｃが引っ込んだ状態になる。このとき、着磁可能な粉末を含有する弾性樹脂材又はゴム材で成形され着磁されている嘴部１６は、スリット１７が弾性樹脂材又はゴム材の形状復元力で僅かな隙間が存在する状態に復帰していき、この形状復元動作の途中から、スリット１７の閉じ合わせ端面同士の一方のＳ極の磁力、他方のＮ極の磁力が互いに吸引し、６０〜８０ｋｐａの密閉力でスリットを閉じる。
【００３４】
〔第２の実施形態〕
図３乃至図５は第２の実施形態を示す。図３に示すように、キャップレス筆記具１０Ｂは、軸筒後部１２・軸筒前部１３を組付け構成してなる軸筒１１と、筆記体１８と、弾発部材１９と、ノック部材２０と、係止機構２１と、解除駒２２と、クリップ２３と、インナーキャップ２４とを備えてなる。
【００３５】
このキャップレス筆記具１０Ｂは、軸筒前部１３の内部に備えるインナーキャップ２４が、ペン先部の押圧力で開きかつ該ペン先部が没入すると完全に閉じ合う機能を有することに特徴がある。なお、本実施形態において、図１に示す第１の実施形態に係るキャップレス筆記具１０Ａと同一の構成要素には同一符号を付けて説明を省略し、相違点を中心に説明する。
【００３６】
軸筒１１Ｂは、軸筒後部１２に軸筒前部１３を被嵌し軸筒前部１３に備えた窓部１５を軸筒後部１２に備えたロック爪１４に係合させて分離不能とされている。軸筒前部１３は、先端開口を有しており、軸筒前部１３の内部にインナーキャップ２４を備えている。
【００３７】
インナーキャップ２４は、基部２４ａ又は外面中途に設けられたフランジ部２４ｂを軸筒前部１３の内面に全周シール状態に嵌着され、基部２４ａ又はフランジ部２４ｂを弾発部材１９が先方へ押圧していて、離脱しないようになっており、引っ込んだ位置のペン先部１８ｃが基部２４ａの内部に納まっている。
【００３８】
インナーキャップ２４は、ドーム状に成形された頂部２４ｃに、軸筒１１の軸心線を通り該頂部２４ｃを２つ割りするようにスリット２５を備えている。インナーキャップ２４は、スリット２５を備えていることで、ペン先部１８ｃの押圧力で開かれ、かつ該ペン先部１８ｃが没入すると該インナーキャップ２４を構成している樹脂の弾性復帰力によりほぼ閉じ合う状態に弾性復帰する。しかし、インナーキャップ２４にスリット２５を備えただけでは、ペン先部１８ｃが没入しても完全には閉じ合わない。スリット２５には微小隙間が存在する。
【００３９】
そこで、インナーキャップ２４は、弾性樹脂材又はゴム材で単に成形されてなるものではなく、着磁可能な粉末を含有しかつ筆記具用インキに含有されるインキ溶剤に対して気体透過性の低い弾性樹脂材又はゴム材で成形され、かつその後、軸筒１１への装着前に該スリット２５の閉じ合わせ端面同士の一方をＳ極、他方をＮ極に着磁され、６０〜８０ｋｐａの密閉力でスリット２５の閉じ合わせ端面同士を完全に閉じ合うように設けられてなる。この場合、好ましくは、スリット２５の閉じ合わせ端面同士に、スリット２５に沿った方向に直交する方向の断面形状が雄雌嵌合する状態に、互いに噛み合い状態に閉じ合うシール部を有することが好ましい。
【００４０】
〔筆記可能・不能な状態とする操作とインナーキャップ２４との関係〕
筆記体１８のペン先部１８ｃがインナーキャップ２４から引っ込んでいる状態（図３の状態）から、ノック部材２０が前進される（押し込まれる）と、ペン先部１８ｃがインナーキャップ２４の頂部２４ｃの内面を押圧する。弾性樹脂材又はゴム材でできているインナーキャップ２４は、スリット２５が押し開かれ、筆記体１８のペン先部１８ｃが軸筒１１の先端のインナーキャップ２４から突出した状態になる（図５の状態）。このとき、弾発部材１９は圧縮された状態になり、解除駒２２は、係止機構２１の係止部２１ａに係合する。解除駒２２が係止機構２１の係止部２１ａに係合すると、筆記体１８が後退不能になり、ペン先部１８ｃが軸筒前部１３内のインナーキャップ２４を押圧して開きインナーキャップ２４から突出し筆記可能な状態が維持される。
ペン先部１８ｃが突出している状態から、次にノック部材２０が押し込まれると、解除駒２２は、係止部２１ａとの係合を解除するように回動され、弾発部材１９の蓄勢復帰力で筆記体１８の大径部１８ａの先端面が後方へ押圧され、ノック部材２０が軸筒１１の後端より突出し、ペン先部１８ｃが引っ込んだ状態になる（図３の状態）。このとき、着磁可能な粉末を含有する弾性樹脂材又はゴム材で成形され着磁されているインナーキャップ２４は、スリット１７が弾性樹脂材又はゴム材の形状復元力で僅かな隙間が存在する状態に復帰していき、この形状復元動作の途中から、スリット１７の閉じ合わせ端面同士の一方のＳ極の磁力、他方のＮ極の磁力が互いに吸引し、６０〜８０ｋｐａの密閉力でスリットを閉じる。
【００４１】
〔スリットに関する変形例〕
第１及び第２の実施形態では、嘴部１６やインナーキャップ２４の頂部を二つ割りとするスリットを備えた場合を示したが、これに限定されるものではない。嘴部１６やインナーキャップ２４の頂部の軸筒中心を通る複数分割となるスリットであれば良い。好ましくは、３〜６分割であるのが良い。
図６（ａ），（ｂ）は、第１の実施形態に係るキャップレス筆記具の嘴部１６にスリット１７に関する変形例を示す。図６（ａ）は、頂部を３等分に分割するＹ字状スリット１７Ａを備えている嘴部１６Ａを示す。図６（ｂ）は、頂部を４等分に分割する十字状スリット１７Ｂを備えている嘴部１６Ｂを示す。いずれも、二色成形によりスリットが形成された後に着磁されることによって６０〜８０ｋｐａの密閉力となるように完全に閉じたＹ字状スリット１７Ａ、又は十字状スリット１７Ｂを備えている。
【００４２】
〔その他の実施形態〕
本発明は、前記の実施形態に限定されるものでなく、特許請求の範囲に記載された発明の要旨を逸脱しない範囲内での種々、設計変更した形態を技術的範囲に含むものである。
【００４３】
本発明のキャップレス筆記具は、軸筒内に筆記体を配置して、軸筒の先端開口より筆記体のペン先部が出没自在に構成されている筆記具であって、揮発性のインクを搭載したマーカー、あるいはサインペンに適用される。
【００４４】
第１の実施形態では、嘴部１６の基部１６ａが軸筒前部１３の先端部の内面に重なる状態で二色成形された場合を示したが、軸筒前部１３の先端部の外面に重なる状態で二色成形されてもよい。
【図面の簡単な説明】
【００４５】
【図１】（ａ）は第１の実施形態に係るキャップレス筆記具を一部断面して示す全体図、（ｂ）は（ａ）中のＩｂ−Ｉｂ矢視図である。
【図２】（ａ）は図１のキャップレス筆記具の使用状態を一部断面して示す全体図、（ｂ）は（ａ）中のIIｂ−IIｂ矢視図である。
【図３】第２の実施形態に係るキャップレス筆記具を一部断面して示す全体図である。
【図４】（ａ）は図３のキャップレス筆記具のインナーキャップの着磁前の断面図、（ｂ）は（ａ）のインナーキャップの正面図、（ｃ）は（ａ）のインナーキャップの着磁後の断面図である。
【図５】第２の実施形態に係るキャップレス筆記具の使用時の状態を示す断面図である。
【図６】（ａ）は第１の実施形態に係るキャップレス筆記具の嘴部のスリットに関する変形例を示す正面図、（ｂ）は他の変形例を示す正面図である。
【符号の説明】
【００４６】
１０Ａ  キャップレス筆記具
１１    軸筒
１３    軸筒前部
１８    筆記体
１８ａ  ペン先部
１６    嘴部
１６ａ  基部
１６ｂ  頂部
１７    スリット
１０Ｂ  キャップレス筆記具
２４    インナーキャップ
２４ａ  基部
２４ｂ  フランジ部
２４ｃ  頂部
２５    スリット
【図１】
2010155387.tif 000003
【図２】
2010155387.tif 000004
【図３】
2010155387.tif 000005
【図４】
2010155387.tif 000006
【図５】
2010155387.tif 000007
【図６】
2010155387.tif 000008